(57)【要約】【課題】  ＨＦおよびＵＨＦ帯域両方での動作が可能であり、さらにＲＦＩＤリーダおよびＲＦＩＤタグの両方の機能を含むＲＦＩＤ装置を提供することを目的とする。【解決手段】  複数の無線周波数識別信号を受信および送信するように構成され、これらの信号を第１の周波数で送信および受信するように構成された第１のアンテナと、通信のためのデータを供給するように構成されたコントローラと、コントローラと第１のアンテナとに結合され、コントローラからのデータを第１の周波数を有する第１の信号で変調するように構成された第１のミキサと、コントローラと第１のアンテナとに結合され、第１のアンテナで受信された信号を第１の周波数を有する第２の信号で復調するように構成された第２のミキサとを備える無線周波数識別装置を提供する。【選択図】図１Ａ
2008276738.tif 000002
【特許請求の範囲】
【請求項１】
無線周波数識別信号を受信および送信するように構成された第１のアンテナであって、前記信号を第１の周波数で送信および受信するように構成された第１のアンテナと、
通信のためのデータを供給するように構成されたコントローラと、
前記コントローラと前記第１のアンテナとに結合された第１のミキサであって、前記コントローラからの前記データを前記第１の周波数を有する第１の信号で変調するように構成された第１のミキサと、
前記コントローラと前記第１のアンテナとに結合された第２のミキサであって、前記第１のアンテナからの受信信号を前記第１の周波数を有する第２の信号で復調するように構成された第２のミキサと、
を備える無線周波数識別装置。
【請求項２】
前記コントローラに結合され、前記第１の周波数を有する信号を生成するように構成された合成器をさらに備える請求項１に記載の無線周波数識別装置。
【請求項３】
前記合成器に結合され、前記合成器からの前記信号に基づき、前記第１の周波数を有する前記第１の信号と前記第１の周波数を有する前記第２の信号とを生成するように構成された電力分割器をさらに備える請求項２に記載の無線周波数識別装置。
【請求項４】
前記コントローラと前記第１のアンテナとの間に結合されたスイッチをさらに備え、前記コントローラは前記第１のアンテナからの信号送信時に前記スイッチをオンにし、前記第１のアンテナからの信号受信時に前記スイッチをオフにする請求項１に記載の無線周波数識別装置。
【請求項５】
第２の周波数を有する信号を送信するように構成された第２のアンテナをさらに備える請求項１に記載の無線周波数識別装置。
【請求項６】
前記第１の周波数および前記第２の周波数の少なくとも一方が超高周波数（ＵＨＦ）帯域にある請求項５に記載の無線周波数識別装置。
【請求項７】
前記第１の周波数がおよそ９１５．４ＭＨｚであり、前記第２の周波数がおよそ４３３ＭＨｚである請求項６に記載の無線周波数識別装置。
【請求項８】
前記コントローラに結合され、前記データを第２の周波数を有する第３の信号で変調するように構成されたトランシーバをさらに備える請求項１に記載の無線周波数識別装置。
【請求項９】
前記トランシーバに結合され、前記第３の周波数を有する信号を送信および受信するように構成された第３のアンテナをさらに備える請求項８に記載の無線周波数識別装置。
【請求項１０】
前記第３の周波数がおよそ１３．５６ＭＨｚである請求項９に記載の無線周波数識別装置。
【請求項１１】
無線周波数識別信号を受信および送信可能な第１のアンテナであって、前記信号を第１の周波数で送信および受信するように構成された第１のアンテナと、
無線周波数識別信号を送信可能な第２のアンテナであって、前記第１の周波数とは互いに異なる第２の周波数で前記信号を送信するように構成された第２のアンテナと、
制御信号を供給するように構成されたコントローラと、
前記コントローラに結合され、前記制御信号に基づき、前記第１の周波数を有する第１の信号または前記第２の周波数を有する第２の信号の少なくとも一方を生成するように構成された合成器と、
を備える無線周波数識別装置。
【請求項１２】
前記コントローラに結合されたスイッチをさらに備え、前記コントローラは前記第１のアンテナからの信号送信時に前記スイッチをオンにし、前記第１のアンテナからの信号受信時に前記スイッチをオフにする請求項１１に記載の無線周波数識別装置。
【請求項１３】
前記コントローラに結合され、前記コントローラからのデータを前記第１の周波数に基づき変調するように構成された第１のミキサをさらに備える請求項１１に記載の無線周波数識別装置。
【請求項１４】
前記コントローラに結合され、前記第１のアンテナで受信された信号を前記第１の周波数に基づき復調するように構成された第２のミキサをさらに備える請求項１１に記載の無線周波数識別装置。
【請求項１５】
前記第１のアンテナと前記合成器との間にサーキュレータをさらに備える請求項１１に記載の無線周波数識別装置。
【請求項１６】
前記コントローラに結合され、前記コントローラからのデータを第３の周波数で変調するように構成されたトランシーバをさらに備える請求項１１に記載の無線周波数識別装置。
【請求項１７】
前記トランシーバに結合され、前記第３の周波数を有する信号を送信および受信するように構成された第３のアンテナをさらに備える請求項１６に記載の無線周波数識別装置。
【請求項１８】
無線周波数識別信号を受信および送信可能な第１のアンテナであって、前記信号を第１の周波数で送信および受信するように構成された第１のアンテナと、
無線周波数識別信号を受信および送信可能な第２のアンテナであって、前記第１の周波数とは互いに異なる第２の周波数で前記信号を送信および受信するように構成された第２のアンテナと、
制御信号を供給するように構成されたコントローラと、
前記コントローラに結合され、前記制御信号に基づき前記第１の周波数を有する第１の信号を生成するように構成された合成器と、
前記コントローラに結合され、前記制御信号に基づき前記第２の周波数を有する第２の信号を生成するように構成されたトランシーバと、
を備える無線周波数識別装置。
【請求項１９】
前記コントローラに結合されたスイッチをさらに備え、前記コントローラは通信のためのデータを前記スイッチを介して前記トランシーバに供給する請求項１８に記載の無線周波数識別装置。
【請求項２０】
前記トランシーバが前記コントローラからの前記データを前記第２の周波数を有する前記第２の信号で変調する請求項１９に記載の無線周波数識別装置。
【請求項２１】
前記コントローラに結合された第１のミキサをさらに備え、前記コントローラは通信のためのデータを前記スイッチを介して前記第１のミキサに供給する請求項１８に記載の無線周波数識別装置。
【請求項２２】
前記第１のミキサが前記コントローラからの前記データを前記第１の周波数を有する前記第１の信号で変調する請求項２１に記載の無線周波数識別装置。
【請求項２３】
前記コントローラに結合され、前記第１の周波数に基づき前記第１のアンテナで受信された信号を復調するように構成された第２のミキサをさらに備える請求項１８に記載の無線周波数識別装置。
【請求項２４】
無線周波数信号を受信および送信可能な第３のアンテナをさらに備え、前記第３のアンテナが前記第１の周波数とも前記第２の周波数とも異なる第３の周波数で前記信号を送信するように構成された請求項１８に記載の無線周波数識別装置。
【請求項２５】
前記合成器が前記制御信号に基づき、前記第１の周波数を有する前記第１の信号または前記第３の周波数を有する第３の信号の少なくとも一方を生成するように構成された請求項２４に記載の無線周波数識別装置。
【発明の詳細な説明】
【技術分野】
【０００１】
本発明は、全般的には無線周波数識別（ＲＦＩＤ）に関し、より具体的にはＲＦＩＤリーダおよびＲＦＩＤタグの両方の機能を提供可能なＲＦＩＤ装置に関するものである。
【背景技術】
【０００２】
無線周波数識別（ＲＦＩＤ）は、さまざまな物体、装置、または情報を識別する目的に使用しうる技術である。ＲＦＩＤタグまたはラベルは、物体に識別符号を対応付けるために広く用いられている。たとえば、ＲＦＩＤタグは、在庫管理、建物へのアクセス制御、および車両のセキュリティロックのために使用されてきた。ＲＦＩＤタグ上に記憶されている情報は、固有の識別番号を有するアイテム、またはセキュリティ付き建物にアクセスしようとする人物を識別する。ＲＦＩＤタグは、個人、荷物、在庫などを一意に識別するための十分な情報を保持し送信することもできる。ＲＦＩＤシステムにおいては、この情報をＲＦＩＤタグから読み出すために、ＲＦＩＤリーダは無線周波数（ＲＦ）データ送信技術を用いて励起信号をＲＦＩＤタグに送信する。この励起信号によってタグを付勢する。付勢されたタグは記憶されている情報をリーダに送信する、すなわち記憶されている情報を応答としてリーダに返す。ＲＦＩＤリーダは次にＲＦＩＤタグからのこの情報を受信して復号する。
【発明の開示】
【発明が解決しようとする課題】
【０００３】
ＲＦＩＤリーダおよびＲＦＩＤタグは、互いに独立した別個の回路および機能を含む。すなわち、ＲＦＩＤリーダはＲＦＩＤタグとしては機能しえない。この逆も同様である。さらに従来のＲＦＩＤ装置は、たとえば１３．５６メガヘルツ（ＭＨｚ）またはこの近傍の高周波（ＨＦ）帯域で、または８６０〜９６０ＭＨｚの範囲の超高周波（ＵＨＦ）帯域で動作するものである。しかし、全磁界通信への関心が高まるにつれ、用途によっては上記のＨＦおよびＵＨＦ両方の帯域での動作が可能なＲＦＩＤ装置を備えることが望ましいこともある。また、一部の用途においては、ＲＦＩＤリーダおよびＲＦＩＤタグの両方の機能を含むＲＦＩＤ装置を備えることが望ましいこともある。
【課題を解決するための手段】
【０００４】
本発明は、例えば、複数の無線周波数識別信号を受信および送信するように構成され、これらの信号を第１の周波数で送信および受信するように構成された第１のアンテナと、通信のためのデータを供給するように構成されたコントローラと、コントローラと第１のアンテナとに結合され、コントローラからのデータを第１の周波数を有する第１の信号で変調するように構成された第１のミキサと、コントローラと第１のアンテナとに結合され、第１のアンテナで受信された信号を第１の周波数を有する第２の信号で復調するように構成された第２のミキサとを備える無線周波数識別装置を提供しうる。
【０００５】
また本発明は、例えば、複数の無線周波数識別信号を受信および送信可能であって、これらの信号を第１の周波数で送信および受信するように構成された第１のアンテナと、複数の無線周波数識別信号を送信可能であって、これらの信号を第１の周波数とは互いに異なる第２の周波数で送信するように構成された第２のアンテナと、制御信号を供給するように構成されたコントローラと、コントローラに結合され、その制御信号に基づき第１の周波数を有する第１の信号または第２の周波数を有する第２の信号の少なくとも一方を生成するように構成された合成器とを備える無線周波数識別装置を提供しうる。
【０００６】
また本発明は、例えば、複数の無線周波数識別信号を受信および送信可能であって、これらの信号を第１の周波数で送信および受信するように構成された第１のアンテナと、複数の無線周波数識別信号を受信および送信可能であって、これらの信号を第１の周波数とは互いに異なる第２の周波数で送信および受信するように構成された第２のアンテナと、制御信号を供給するように構成されたコントローラと、コントローラに結合され、その制御信号に基づき第１の周波数を有する第１の信号を生成するように構成された合成器と、コントローラに結合され、その制御信号に基づき第２の周波数を有する第２の信号を生成するように構成されたトランシーバとを備える無線周波数識別装置を提供しうる。
【０００７】
また本発明は、一例として、データ通信のための第１の周波数を特定するステップと、第１の周波数を有する第１の信号と第１の周波数を有する第２の信号とを生成するステップと、入力信号の受信の有無を検出するステップと、第１の周波数を有する第２の信号に基づき入力信号を周波数にダウンコンバートするステップと、データを第１の周波数を有する第１の信号で変調するステップとを含むデータ通信方法を提供しうる。
【０００８】
本発明は、例えば、データ通信のための第１の周波数と第２の周波数とを特定するステップと、第１の無線周波数識別（ＲＦＩＤ）装置を起動するために第１の周波数を有する第１の信号を第１のアンテナから送信するステップと、第２のＲＦＩＤ装置を起動するために第２の周波数を有する第２の信号を第２のアンテナから送信するステップとを含むデータ通信方法を提供しうる。この場合の第１および第２のＲＦＩＤ装置の一方は電源モジュールを含む。
【０００９】
また本発明は、例えば、データ通信のための第１の周波数と、第１の周波数とは異なる第２の周波数とを特定するステップと、ミキサにおいて第１の周波数を有する第１の信号でデータを変調するステップと、トランシーバにおいて第２の周波数を有する第２の信号でデータを変調するステップと、第１の周波数を有する第１の変調された信号を第１のアンテナで送信および受信するステップと、第２の周波数を有する第２の変調された信号を第２のアンテナで送信および受信するステップとを含むデータ通信方法をさらに提供しうる。
【００１０】
上記の簡単な説明および以下の詳細な説明は単なる例示にすぎず、特許請求の範囲に記載されている本発明を制限するものではないことを理解されたい。
【発明を実施するための最良の形態】
【００１１】
上記の本発明の簡単な説明および以下の詳細な説明は、添付図面と併せて読まれるとよりよく理解されるであろう。本発明を説明する目的で、添付図面には現在好ましい実施例が示されている。但し、本発明は図示されている詳細な構成および手段に限定されるものではないことを理解されたい。
【００１２】
次に、添付図面に例示されている本発明の現在の各実施例について詳細に言及する。同じ部分または同様の部分については、可能な限り、全図面を通して同じ参照符号を使用する。
【００１３】
図１Ａは、本発明の一実施例に係わる無線周波数識別（ＲＦＩＤ）装置１０のブロック図である。図１Ａにおいて、ＲＦＩＤ装置１０は、コントローラ１１と、スイッチ１２と、ＲＦＩＤリーダ機能をサポート可能なリーダ部と、ＲＦＩＤタグ機能をサポート可能なタグ部とを含む。リーダ部は、合成器１３と、電力分割器１４と、第１のミキサ１５と、電力増幅器（ＰＡ）などの第１の増幅器１６とをさらに含む。タグ部は、低雑音増幅器（ＬＮＡ）などの第２の増幅器１７と、第２のミキサ１８と、ベースバンドモジュール１９とをさらに含む。ＲＦＩＤ装置１０は、サーキュレータ２８と、第１のアンテナ２１とをさらに含む。サーキュレータ２８は、リーダ部で用意された出力信号がタグ部に進入することを防止すると共に、第１のアンテナ２１で受信された入力信号がリーダ部に進入することを防止するために、たとえばおよそ２０〜３０ｄＢの遮断効果を提供する。
【００１４】
リーダ動作に関しては、たとえばマイクロプロセッサなどのコントローラ１１は、第１の制御信号を合成器１３に供給し、スイッチ１２をオンまたはオフに切り替えるための第２の制御信号をスイッチ１２に供給する。第１の制御信号への応答として、合成器１３は第１の周波数を有する信号を生成する。一実施例において、第１の周波数はおよそ９１５．４ＭＨｚであり、これはＵＨＦ帯域である。現在入手可能なパッシブ型ＲＦＩＤタグには、９１５．４ＭＨｚまたはこの近傍で信号を受信および送信するように設計されているものがあり、アクティブ型ＲＦＩＤタグには、４３３ＭＨｚまたはこの近傍で信号を受信し、９１５．４ＭＨｚまたはこの近傍で信号を送信するように設計されているものがある。通常、パッシブ型ＲＦＩＤタグとは、対応するＲＦＩＤリーダから電力を受け取るＲＦＩＤタグを指し、アクティブ型ＲＦＩＤタグとは、必要な電力を発生させるための電池などの電力モジュールを含むＲＦＩＤタグを指す。第１の周波数は、対応するＲＦＩＤタグを起動するために使用される。従って、周波数９１５．４ＭＨｚの使用は、現在入手可能なパッシブ型ＲＦＩＤタグの使用を促進する。
【００１５】
次に電力分割器１４において、合成器１３からの信号を第１の周波数を変えずに、たとえば二等分の電力に分割する。電力分割器１４は、第１の分割後の電力レベルと第１の周波数とを有する第１の信号を第１のミキサ１５に供給し、第２の分割後の電力レベルと第１の周波数とを有する第２の信号を第２のミキサ１８に供給する。リーダ動作の間、第１の信号によるデータ変調を可能にするためにスイッチ１２をオンする。たとえばコマンドなどのデータをコントローラ１１からスイッチ１２を介して第１のミキサ１５に送る。この変調は、発電モジュール（図示せず）からの第１の電圧レベルｖ＋または第２の電圧レベルｖ−に基づき、振幅偏移（ＡＳＫ）変調および位相偏移（ＰＳＫ）変調の一方を含むが、これだけに限定されるものではない。第１のミキサ１５からの変調された信号を第１の増幅器１６に供給して電力を増幅し、次にサーキュレータ２８を介して第１のアンテナ２１に送り、送信する。
【００１６】
タグ動作に関しては、変調された入力信号を第１のアンテナ２１で受信し、サーキュレータ２８を介してＬＮＡ１７に送る。コントローラ１１は、第１のアンテナ２１で検出された入力信号に応答してスイッチ１２をオフにする。第２の周波数を有する入力信号を、ＬＮＡ１７で増幅し、電力分割器１４からの第１の周波数に基づき、第２のミキサ１８で周波数にダウンコンバートする。一実施例においては、第２の周波数を第１の周波数にほぼ等しいものとする。すなわち、第１の周波数がリーダ動作時に使用されるおよそ９１５．４ＭＨｚである場合は、第２の周波数もおよそ９１５．４ＭＨｚとなる。ダウンコンバートされた信号を次に第２のミキサ１８からベースバンドモジュール１９に供給して復調する。一実施例において、ベースバンドモジュール１９は、複数の増幅器と、複数のバッファと、複数の比較器とを備える複数の回路を含む。次に復調された信号を後続の処理のためにコントローラ１１に送る。
【００１７】
図１Ｂは、本発明の一実施例に係わるデータ通信方法を解説する流れ図である。図１Ｂを、さらに図１Ａを参照すると、ステップ１０１では、データ通信のための第１の周波数を特定する。ステップ１０２では、第１の周波数を有する第１の信号と第１の周波数を有する第２の信号とを生成する。次に、ステップ１０３において、入力信号が第１のアンテナで受信されたか否かを検出する。受信されなかった場合は、ステップ１０４においてコマンドなどのデータを第１の信号で変調し、この変調された信号を次にステップ１０５で第１のアンテナから送信する。受信された場合は、ステップ１０６において入力信号を第１の周波数を有する第２の信号を用いてダウンコンバートし、ダウンコンバートされた信号を次にステップ１０７で復調する。
【００１８】
図２Ａは、本発明の別の実施例に係わるＲＦＩＤ装置２０のブロック図である。図２Ａにおいて、ＲＦＩＤ装置２０は、たとえば第２の電力増幅器（ＰＡ）２６と第２のアンテナ２２とを追加する以外は、図１Ａに示されているＲＦＩＤ装置１０と同様である。リーダ動作に関しては、合成器１３は、第１の周波数を有する信号を生成するほか、第３の周波数を有する別の信号を生成する。第３の周波数は、第１の周波数と異なってもよく、アクティブ型ＲＦＩＤタグを起動するために使用される。一実施例においては、第１の周波数をおよそ９１５．４ＭＨｚにし、第３の周波数をおよそ４５７．７ＭＨｚ、つまり第１の周波数の半分にすることによって周波数分割回路（図示せず）の設計を容易にする。別の実施例においては、第１の周波数をおよそ９１５．４ＭＨｚにし、第３の周波数をおよそ４３３ＭＨｚにすることによって、現在入手可能なアクティブ型ＲＦＩＤタグの使用を促進する。第３の周波数を有する信号を第２のＰＡ２６で増幅し、次に第２のアンテナ２２を介して送信する。
【００１９】
タグ動作に関しては、パッシブ型ＲＦＩＤタグまたはアクティブ型ＲＦＩＤタグのどちらかからの入力信号は、第２の周波数を含む。一実施例においては、パッシブ型ＲＦＩＤタグは９１５．４ＭＨｚまたはこの近傍で信号を受信および送信するように構成し、アクティブ型ＲＦＩＤタグは４３３ＭＨｚまたはこの近傍で信号を受信し、９１５．４ＭＨｚまたはこの近傍で信号を送信するように構成する。
【００２０】
図２Ｂは、本発明の別の実施例に係わるデータ通信方法を解説する流れ図である。図２Ｂを、さらに図２Ａを参照すると、ステップ２０１では、データ通信のための第１の周波数と第３の周波数とを特定する。ステップ２０２では、第１の周波数を有する第１の信号と、第１の周波数を有する第２の信号と、第３の周波数を有する第３の信号とを生成する。一実施例においては、第１の信号および第３の信号はそれぞれパッシブ型ＲＦＩＤタグおよびアクティブ型ＲＦＩＤタグを起動するために使用される。次にステップ２０３において、入力信号が第１のアンテナで受信されたか否かを検出する。受信された場合は、ステップ２０４において入力信号を第１の周波数を有する第２の信号を用いてダウンコンバートし、ダウンコンバートされた信号を次にステップ２０５において復調する。受信されなかった場合は、たとえばアクティブ型ＲＦＩＤタグなどのＲＦＩＤタグを起動すべきかどうかをステップ２０６において判定する。起動する場合は、ＲＦＩＤタグを起動するために、ステップ２０７において第３の信号を第２のアンテナから送信する。起動しない場合は、ステップ２０８においてコマンドなどのデータを第１の信号で変調し、変調された信号を次にステップ２０９で第１のアンテナから送信することによって、たとえばパッシブ型ＲＦＩＤタグを起動する。
【００２１】
図３Ａは、本発明のさらに別の実施例に係わるＲＦＩＤ装置３０のブロック図である。図３Ａにおいて、ＲＦＩＤ装置３０は、たとえばトランシーバ３１と、第３の電力増幅器（ＰＡ）３６と、第３のアンテナ２３とを追加する以外は、図１Ａに示すＲＦＩＤ装置１０と同様である。リーダ動作に関しては、コントローラ１１は、第１の制御信号をトランシーバ３１と合成器１３とに送出することによって、トランシーバ３１または合成器１３の少なくとも一方を使用可能にする。さらに、スイッチ１２をオンにすることによって、コントローラ１１からのデータをトランシーバ３１で変調可能にする。この変調は、ＡＳＫ変調およびＰＳＫ変調の一方を含むが、これだけに限定されるものではない。一実施例において、トランシーバ３１は、たとえばおよそ１３．５６ＭＨｚの第４の周波数を有する変調された信号を供給する。次にこの変調された信号を第３のアンテナ２３から送信する。
【００２２】
タグ動作に関しては、第１の周波数を有する第１の入力信号を第１のアンテナ２１で受信し、サーキュレータ２８と、ＬＮＡ１７と、第２のミキサ１８と、ベースバンドモジュール１９とを介してコントローラ１１に送る。一実施例において、第１の周波数はＵＨＦ成分を含む。さらに、第４の周波数を有する第２の入力信号を第３のアンテナ２３で受信し、トランシーバ３１に送って復調する。復調された信号は、デジタル信号でもよく、次に復号などの後続の処理のためにコントローラ１１に送ってもよい。一実施例においては、第４の周波数は１３．５６ＭＨｚの周波数成分を含む。
【００２３】
図３Ｂは、本発明のさらに別の実施例に係わるデータ通信方法を解説する流れ図である。図３Ｂを、さらに図３Ａを参照すると、ステップ３０１では、データ通信のための第１の周波数と第４の周波数とを特定する。ステップ３０２では、第１の周波数を有する第１の信号と、第１の周波数を有する第２の信号と、第４の周波数を有する第４の信号とを生成する。次にステップ３０３において、入力信号が第１のアンテナで受信されたか否かを検出する。受信された場合は、ステップ３０４において入力信号を第１の周波数を有する第２の信号を用いてダウンコンバートし、ダウンコンバートされた信号を次にステップ３０５で復調する。受信されなかった場合は、入力信号が第３のアンテナで受信されたか否かをステップ３０６において検出する。受信された場合は、この入力信号をステップ３０７において復調し、次に復号する。受信されなかった場合は、信号を第１のアンテナから送信すべきか否かをステップ３０８において判定する。送信する場合は、ステップ３０９においてコマンドなどのデータを第１の周波数を有する第１の信号で変調し、変調された信号を次に第１のアンテナから送信する。送信しない場合は、信号を第３のアンテナから送信すべきか否かをステップ３１０において判定する。送信する場合は、ステップ３１１においてコマンドなどのデータを第４の周波数を有する第４の信号で変調し、変調された信号を次に第３のアンテナから送信する。送信しない場合は、ステップ３０３を繰り返してもよい。
【００２４】
図４は、本発明のさらに別の実施例に係わるＲＦＩＤ装置４０のブロック図である。図４において、ＲＦＩＤ装置４０は、図２Ａに示すＲＦＩＤ装置２０と図３Ａに示すＲＦＩＤ装置３０との組み合わせに似たものである。本発明による一実施例において、ＲＦＩＤ装置４０は第１の周波数を有する信号を第１のアンテナ２１で送信および受信する。第１の周波数は、ＵＨＦ帯域のある１つの周波数、たとえば９１５．４ＭＨｚなどを含む。さらに、ＲＦＩＤ装置４０は、アクティブ型ＲＦＩＤタグを起動するために、第２の周波数を有する信号を第２のアンテナ２２から送信する。第２の周波数は、ＵＨＦ帯域のある１つの周波数、４３３ＭＨｚなどを含む。さらに、ＲＦＩＤ装置４０は、第３の周波数を有する信号を第３のアンテナ２３で送信および受信する。第３の周波数は、１３．５６ＭＨｚを含む。ＲＦＩＤ装置４０を作動させる方法は、図２Ｂおよび図３Ｂに示されている方法と同様なので、説明する必要はない。
【００２５】
本願明細書においては、本発明の代表的な複数の実施例を説明する際に、本発明の方法および／またはプロセスを特定のステップ順として提示した。但し、本発明の方法またはプロセスが本願明細書に記載の特定のステップ順に依存しない範囲においては、本発明の方法またはプロセスは記載されている特定のステップ順に限定されないものとする。当業者は、他の複数のステップ順が可能であることを理解するであろう。従って、本願明細書に記載の特定のステップ順によって特許請求の範囲が限定されるものと解釈されるべきではない。また、本発明の方法および／またはプロセスを対象とする各請求項は、それぞれのステップの実行順が記載の順番に限定されないものとする。当業者であれば、ステップの順番を変更しうること、および変更しても本発明の精神および範囲内に留まることを容易に理解できる。
【００２６】
当業者は、本発明の広範な概念から逸脱することなく上記の各実施例に変更を加えうることを理解されるであろう。従って、本発明は開示された特定の実施例に限定されるものではなく、本発明の変更も付属の特許請求の範囲によって規定される本発明の精神および範囲に含まれるものと理解されたい。
【図面の簡単な説明】
【００２７】
【図１Ａ】本発明の一実施例に係わる無線周波数識別（ＲＦＩＤ）装置のブロック図である。
【図１Ｂ】本発明の一実施例に係わるデータ通信方法を解説する流れ図である。
【図２Ａ】本発明の別の実施例に係わるＲＦＩＤ装置のブロック図である。
【図２Ｂ】本発明の別の実施例に係わるデータ通信方法を解説する流れ図である。
【図３Ａ】本発明のさらに別の実施例に係わるＲＦＩＤ装置のブロック図である。
【図３Ｂ】本発明のさらに別の実施例に係わるデータ通信方法を解説する流れ図である。
【図４】本発明のさらに別の実施例に係わるＲＦＩＤ装置のブロック図である。
【図１Ａ】
2008276738.tif 000003
【図１Ｂ】
2008276738.tif 000004
【図２Ａ】
2008276738.tif 000005
【図２Ｂ】
2008276738.tif 000006
【図３Ａ】
2008276738.tif 000007
【図３Ｂ】
2008276738.tif 000008
【図４】
2008276738.tif 000009